(57)【要約】【課題】同時に再生する複数のアングル映像を、各アングル映像の撮影アングルを考慮した表示位置の配列で再生する。【解決手段】撮影対象を互いに異なる複数の撮影アングルで撮影した複数のアングル映像に対応する複数のアングル映像データと、各撮影アングルを考慮した各アングル映像の相対表示位置を意味する相対表示位置情報と、を記録した記録手段Ｄから、アングル映像データの総数以下の複数のアングル映像データおよび相対表示位置情報を取得するデータ取得手段１１１と、複数のアングル映像データに基づいて、複数のアングル映像に対応する複数のアングル映像信号を表示手段１０２に出力する映像信号出力手段１１２と、相対表示位置情報に基づいて、複数のアングル映像の表示位置の配列を決定する配列決定手段１１３とを備えた。【選択図】図１１
2008050383.tif 000002
【特許請求の範囲】
【請求項１】
撮影対象を互いに異なる複数の撮影アングルで撮影した複数のアングル映像に対応する複数のアングル映像データと、前記各撮影アングルを考慮した前記各アングル映像の相対表示位置を表した相対表示位置情報と、を記録した記録手段から、前記アングル映像データの総数以下の前記複数のアングル映像データおよびこれに対応する前記相対表示位置情報を取得するデータ取得手段と、
前記複数のアングル映像データに基づいて、前記複数のアングル映像に対応する複数のアングル映像信号を表示手段に出力する映像信号出力手段と、
前記相対表示位置情報に基づいて、前記複数のアングル映像の表示位置の配列を決定する配列決定手段と、
を備えたことを特徴とする映像再生装置。
【請求項２】
前記表示手段が、複数の表示装置で構成されている時、
前記映像信号出力手段は、前記複数のアングル映像信号を前記複数の表示装置に個別に出力し、
前記配列決定手段は、前記複数の表示装置の配置情報および前記相対表示位置情報に基づいて、前記各アングル映像信号が出力される前記表示装置を設定することを特徴とする請求項１に記載の映像再生装置。
【請求項３】
前記記録手段には、画素数の異なる複数の映像タイプから成る映像タイプ情報が前記各アングル映像毎に記録されており、
前記データ取得手段は、前記映像タイプ情報を取得し、
前記映像タイプ情報に基づいて、前記各アングル映像の前記複数の映像タイプから、当該アングル映像が表示される前記表示装置の画面解像度に対応した映像タイプを選択する映像タイプ選択手段を、さらに備えたことを特徴とする請求項２に記載の映像再生装置。
【請求項４】
前記表示手段が、単一の表示装置で構成されている時、
前記映像信号出力手段は、決定された前記表示位置の配列に従って、前記複数のアングル映像が前記表示装置の表示画面を区分した複数の表示エリアにそれぞれ表示されるように、前記複数のアングル映像信号を合成して前記表示装置に出力することを特徴とする請求項１に記載の映像再生装置。
【請求項５】
前記記録手段には、前記複数のアングル映像と共に再生する複数チャンネルの音声に対応する音声データが記録されており、
前記データ取得手段は、前記記録手段から前記音声データを取得し、
前記音声データに基づいて、複数チャンネルの音声信号を複数チャンネルのスピーカに出力する音声信号出力手段と、
前記相対表示位置情報に基づいて、前記各チャンネルの音声信号が出力される前記スピーカを設定する音声出力設定手段と、
をさらに備えたことを特徴とする請求項１に記載の映像再生装置。
【請求項６】
記録された前記複数のアングル映像データに対応する前記複数のアングル映像のうち、同時に再生させる複数のアングル映像を、選択画面上でユーザに選択させるための映像選択手段を、さらに備えたことを特徴とする請求項１に記載の映像再生装置。
【請求項７】
前記記録手段には、前記各アングル映像について、その他の前記複数のアングル映像のうちいずれを優先して同時に再生させるかを、前記各撮影アングルを考慮して指標した選択順位情報が記録されており、
前記データ取得手段は、前記記録手段から前記選択順位情報を取得し、
前記映像選択手段は、ユーザにより前記複数のアングル映像のうち一部が選択されたときに、選択された前記各アングル映像の前記選択順位情報に基づいて、残りの前記アングル映像の候補映像を前記選択画面上に表示することを特徴とする請求項６に記載の映像再生装置。
【請求項８】
前記記録手段には、同時に再生させる前記複数のアングル映像の組合せを、再生中に順次切り替えるためのシーケンスファイルが記録されており、
前記データ取得手段は、前記記録手段から前記シーケンスファイルを取得し、
前記映像信号出力手段は、前記シーケンスファイルに従って前記複数のアングル映像信号を出力し、
前記配列決定手段は、前記シーケンスファイルに基づいて、順次切り替えられる前記複数のアングル映像の組合せ毎に、前記複数のアングル映像の表示位置の配列を決定することを特徴とする請求項１に記載の映像再生装置。
【請求項９】
前記記録手段には、複数の前記シーケンスファイルが記録されており、
前記複数のシーケンスファイルにそれぞれ対応した複数の映像コースから、１の映像コースを、選択画面上でユーザに選択させるためのコース選択手段を、さらに備えたことを特徴とする請求項８に記載の映像再生装置。
【請求項１０】
前記各シーケンスファイルには、前記映像コース別のコース別映像データが含まれており、
前記映像信号出力手段は、前記コース別映像データに基づくコース別映像が、前記各アングル映像に重ねて表示されるようにして、前記複数のアングル映像信号を出力することを特徴とする請求項９に記載の映像再生装置。
【請求項１１】
前記各シーケンスファイルには、前記映像コース別のコース別音声データが含まれており、
前記コース別音声データに基づいて、コース別音声信号をスピーカに出力する音声信号出力手段を、さらに備えたことを特徴とする請求項９に記載の映像再生装置。
【請求項１２】
前記複数のアングル映像には、前記撮影対象の全体を撮影した全体映像と、前記撮影対象の一部を撮影した部分映像とが含まれ、
前記映像信号出力手段は、前記相対表示位置情報に基づいて、前記撮影対象における前記部分映像の撮影箇所を、前記全体映像中に視認させるようにして、前記複数のアングル映像信号を出力することを特徴とする請求項１に記載の映像再生装置。
【請求項１３】
前記記録手段には、前記各アングル映像の撮影時刻を意味する撮影時刻情報が記録されており、
前記データ取得手段は、前記記録手段から前記撮影時刻情報を取得し、
前記映像信号出力手段は、前記撮影時刻情報に基づいて、前記複数のアングル映像信号を出力することを特徴とする請求項１に記載の映像再生装置。
【請求項１４】
請求項１に記載の映像再生装置と、
前記表示手段と、
を備えたことを特徴とする映像表示システム。
【請求項１５】
請求項１に記載の映像再生装置に備えた前記データ取得手段により取得される前記複数のアングル映像データおよび前記相対表示位置情報を記録した前記記録手段である記録媒体。
【発明の詳細な説明】
【技術分野】
【０００１】
本発明は、いわゆるマルチアングル映像を複数同時に再生する映像再生装置、映像表示システムおよび記録媒体に関するものである。
【背景技術】
【０００２】
従来、この種の映像再生装置として、撮影対象を互いに異なる複数の撮影アングルで撮影した複数のアングル映像（マルチアングル映像）を記録した記録手段（ＤＶＤ）を用いて、表示装置（ＴＶ）の画面を分割した複数の表示エリアに、複数のアングル映像を同時に再生させるものが知られている（例えば、特許文献１参照）。
【特許文献１】特開２００１−２２３９９１号公報
【発明の開示】
【発明が解決しようとする課題】
【０００３】
しかしながら、従来の映像再生装置は、同時に再生する複数のアングル映像を、各アングル映像の撮影アングルを考慮した表示位置の配列で再生するものではなかった。例えば、記録媒体に記録された３つのアングル映像（アングル映像１、アングル映像２およびアングル映像３）を同時に再生させる場合、各アングル映像の撮影アングルに拘わらず、単純に、アングル映像１を向かって右の表示エリアに、アングル映像２を中央の表示エリアに、アングル映像３を向かって左の表示エリアにおいて再生させるようになっているとする。この場合、記録媒体に記録された撮影対象が「テニスの試合」であって、アングル映像１が、主審側から見て左の選手Ａを主審側から撮影した映像、アングル映像２が、主審側から見て右の選手Ｂを主審側から撮影した映像、アングル映像３が、コート全体を主審側から撮影した映像になっていると、向かって右の表示エリアに選手Ａの映像、中央の表示エリアに選手Ｂの映像、向かって左の表示エリアにコート全体の映像が再生されることになる。このような複数のアングル映像の表示位置の配列では、ユーザ（視聴者）が違和感を感ずることとなり、問題であった。【０００４】
本発明は、同時に再生する複数のアングル映像を、各アングル映像の撮影アングルを考慮した表示位置の配列で再生することができる映像再生装置、映像表示システムおよび記録媒体を提供することを課題としている。
【課題を解決するための手段】
【０００５】
本発明の映像再生装置は、撮影対象を互いに異なる複数の撮影アングルで撮影した複数のアングル映像に対応する複数のアングル映像データと、各撮影アングルを考慮した各アングル映像の相対表示位置を表した相対表示位置情報と、を記録した記録手段から、アングル映像データの総数以下の複数のアングル映像データおよびこれに対応する相対表示位置情報を取得するデータ取得手段と、複数のアングル映像データに基づいて、複数のアングル映像に対応する複数のアングル映像信号を表示手段に出力する映像信号出力手段と、相対表示位置情報に基づいて、複数のアングル映像の表示位置の配列を決定する配列決定手段と、を備えたことを特徴とする。【０００６】
この構成によれば、各撮影アングルを考慮した各アングル映像の相対表示位置を意味する相対表示位置情報に基づいて、複数のアングル映像の表示位置の配列が決定される。このため、同時に再生する複数のアングル映像を、各アングル映像の撮影アングルを考慮した表示位置の配列で再生することができる。したがって、ユーザに対し、違和感を感じさせることがないばかりか、臨場感をもって複数のアングル映像を視聴させることができる。
なお、記録手段としては、例えば、ＤＶＤ等の各種光ディスクのほか、ハードディスク、各種半導体メモリを用いることができる。【０００７】
この場合、表示手段が、複数の表示装置で構成されている時、映像信号出力手段は、複数のアングル映像信号を複数の表示装置に個別に出力し、配列決定手段は、複数の表示装置の配置情報および相対表示位置情報に基づいて、各アングル映像信号が出力される表示装置を設定することが好ましい。【０００８】
この構成によれば、複数のアングル映像を複数の表示装置に個別に表示させることで、各アングル映像を大きく表示することが可能となる。そして、複数の表示装置の配置をも考慮して、複数のアングル映像の表示位置の配列が決定される。このため、複数の表示装置において再生される複数のアングル映像を、各アングル映像の撮影アングルを考慮した表示位置の配列で再生することができる。【０００９】
この場合、記録手段には、画素数の異なる複数の映像タイプから成る映像タイプ情報が各アングル映像毎に記録されており、データ取得手段は、映像タイプ情報を取得し、映像タイプ情報に基づいて、各アングル映像の複数の映像タイプから、当該アングル映像が表示される表示装置の画面解像度に対応した映像タイプを選択する映像タイプ選択手段を、さらに備えたことが好ましい。【００１０】
この構成によれば、各アングル映像が表示される表示装置の画面解像度に対応した画素数のアングル映像となるように、各アングル映像の映像タイプが選択される。このため、表示装置には、その画面解像度に最適な画素数のアングル映像が再生される。したがって、表示装置の画面解像度に合わせた解像度変換を必要とすることなく、アップコンバートあるいはダウンコンバートによる画質劣化を防止することができる。【００１１】
この場合、表示手段が単一の表示装置で構成されている時、映像信号出力手段は、決定された表示位置の配列に従って、複数のアングル映像が表示装置の表示画面を区分した複数の表示エリアにそれぞれ表示されるように、複数のアングル映像信号を合成して表示装置に出力することが好ましい。【００１２】
この構成によれば、設置スペースや保有台数の関係上、複数の表示装置を設置することができないような場合にも、単一の表示装置に対して複数のアングル映像を再生することができる。そして、単一の表示装置において、同時に再生する複数のアングル映像を、各アングル映像の撮影アングルを考慮した表示位置の配列で再生することができる。【００１３】
この場合、記録手段には、複数のアングル映像と共に再生する複数チャンネルの音声に対応する音声データが記録されており、データ取得手段は、記録手段から音声データを取得し、音声データに基づいて、複数チャンネルの音声信号を複数チャンネルのスピーカに出力する音声信号出力手段と、相対表示位置情報に基づいて、各チャンネルの音声信号が出力されるスピーカを設定する音声出力設定手段と、をさらに備えたことが好ましい。【００１４】
この構成によれば、複数チャンネルの音声が、これと共に再生される複数のアングル映像と方向性が一致するように、複数チャンネルのスピーカに出力される。このため、臨場感のある音場を形成することができる。【００１５】
この場合、記録された複数のアングル映像データに対応する複数のアングル映像のうち、同時に再生させる複数のアングル映像を、選択画面上でユーザに選択させるための映像選択手段を、さらに備えたことが好ましい。【００１６】
この構成によれば、映像選択手段により、再生可能なアングル映像のうち、ユーザが視聴したいアングル映像が選択される。そして、その選択に応じて、データ取得手段により、複数のアングル映像データが取得され、配列決定手段により、選択された複数のアングル映像について表示位置の配列が決定される。このため、ユーザにより選択された複数のアングル映像を、各アングル映像の撮影アングルを考慮した表示位置の配列で再生することができる。【００１７】
この場合、記録手段には、各アングル映像について、その他の複数のアングル映像のうちいずれを優先して同時に再生させるかを、各撮影アングルを考慮して指標した選択順位情報が記録されており、データ取得手段は、記録手段から選択順位情報を取得し、映像選択手段は、ユーザにより複数のアングル映像のうち一部が選択されたときに、選択された各アングル映像の選択順位情報に基づいて、残りのアングル映像の候補映像を選択画面上に表示することが好ましい。【００１８】
この構成によれば、選択された各アングル映像の撮影アングルを考慮して、残りのアングル映像の候補映像が選択画面上に表示される。これにより、残りのアングル映像として、同時再生させたときに違和感を感ずることのない映像の選択を促すことができる。【００１９】
この場合、記録手段には、同時に再生させる複数のアングル映像の組合せを、再生中に順次切り替えるためのシーケンスファイルが記録されており、データ取得手段は、記録手段からシーケンスファイルを取得し、映像信号出力手段は、シーケンスファイルに従って複数のアングル映像信号を出力し、配列決定手段は、シーケンスファイルに基づいて、順次切り替えられる複数のアングル映像の組合せ毎に、複数のアングル映像の表示位置の配列を決定することが好ましい。【００２０】
この構成によれば、シーケンスファイルに従って、複数のアングル映像の組合せが再生中に順次切り替わるようにして、複数のアングル映像が同時に再生される。このため、複数のアングル映像の組合せを、再生中に自動的に切り替えることができる。したがって、ユーザが切替え操作を行う必要がなく、利便性を向上させることができる。【００２１】
この場合、記録手段には、複数のシーケンスファイルが記録されており、複数のシーケンスファイルにそれぞれ対応した複数の映像コースから、１の映像コースを、選択画面上でユーザに選択させるためのコース選択手段を、さらに備えたことが好ましい。【００２２】
この構成によれば、ユーザの選択した映像コースに対応するシーケンスファイルに従って、複数のアングル映像の組合せが再生中に順次切り替わるようにして、複数のアングル映像が同時に再生される。このため、ユーザは、自分の好みに合った映像コースで視聴することができる。【００２３】
この場合、各シーケンスファイルには、映像コース別のコース別映像データが含まれており、映像信号出力手段は、コース別映像データに基づくコース別映像が、各アングル映像に重ねて表示されるようにして、複数のアングル映像信号を出力することが好ましい。【００２４】
この構成によれば、各映像コースに対応したコース別映像を、各アングル映像に重ねて表示することができる。【００２５】
この場合、各シーケンスファイルには、映像コース別のコース別音声データが含まれており、コース別音声データに基づいて、コース別音声信号をスピーカに出力する音声信号出力手段を、さらに備えたことが好ましい。【００２６】
この構成によれば、各映像コースに対応したコース別音声を、複数のアングル映像と共に再生することができる。【００２７】
この場合、複数のアングル映像には、撮影対象の全体を撮影した全体映像と、撮影対象の一部を撮影した部分映像とが含まれ、映像信号出力手段は、相対表示位置情報に基づいて、撮影対象における部分映像の撮影箇所を、全体映像中に視認させるようにして、複数のアングル映像信号を出力することが好ましい。【００２８】
この構成によれば、撮影対象における部分映像の撮影箇所を、全体映像中にユーザに視認させることができる。【００２９】
この場合、記録手段には、各アングル映像の撮影時刻を意味する撮影時刻情報が記録されており、データ取得手段は、記録手段から撮影時刻情報を取得し、映像信号出力手段は、撮影時刻情報に基づいて、複数のアングル映像信号を出力することが好ましい。【００３０】
この構成によれば、相互に撮影開始時刻の異なる複数のアングル映像であっても、撮影時刻を一致させて、あるいは一定の時間ずらして、同時に再生することができる。また、再生途中に時間途切れのあるアングル映像の場合であっても、他のアングル映像と撮影時刻が一致するように、再生を再開させることができる。【００３１】
本発明の映像表示システムは、請求項１に記載の映像再生装置と、表示手段と、を備えたことを特徴とする。【００３２】
この構成によれば、上記の映像再生装置を備えたことで、同時に再生する複数のアングル映像を、各アングル映像の撮影アングルを考慮した表示位置の配列で再生するように、表示することができる。【００３３】
本発明の記録媒体は、請求項１に記載の映像再生装置に備えたデータ取得手段により取得される複数のアングル映像データおよび相対表示位置情報を記録した記録手段である。【００３４】
この構成によれば、上記の映像再生装置により、同時に再生する複数のアングル映像を、各アングル映像の撮影アングルを考慮した表示位置の配列で再生されることを可能とする複数のアングル映像データおよび相対表示位置情報を提供することができる。
【図面の簡単な説明】
【００３５】
【図１】３台の出力モニターを備えた映像表示システムの構成を示す図である。
【図２】ＤＶＤに記録されているテニスの試合の撮影アングルを示す図である。
【図３】相対表示位置情報テーブルを示す図である。
【図４】相対表示位置を「順位」および「距離」でそれぞれ表した例を示す図である。
【図５】選択順位情報テーブルを示す図である。
【図６】撮影時刻情報テーブルを示す図である。
【図７】映像タイプ情報テーブルを示す図である。
【図８】映像切替え情報テーブルを示す図である。
【図９】オーバーレイ情報テーブルを示す図である。
【図１０】オーバーレイ表示の例を示す図である。
【図１１】映像表示システムのブロック図である。
【図１２】１台の出力モニターを備えた映像表示システムの構成を示す図である。
【図１３】全体映像における撮影箇所表示枠の表示例を示す図である。
【図１４】映像選択画面上での選択例を示す図である。
【図１５】通常再生処理を説明するフローチャートである。
【図１６】映像選択処理を説明するフローチャートである。
【図１７】モニター設定処理を説明するフローチャートである。
【図１８】映像タイプ選択処理を説明するフローチャートである。
【図１９】再生時刻制御処理を説明するフローチャートである。
【図２０】シーケンス再生処理を説明するフローチャートである。
【符号の説明】
【００３６】
１００…映像表示システム  １０１…ＤＶＤプレーヤー  １０２…出力モニター  １０２ａ…表示エリア  １０３…５．１ｃｈスピーカー  １１１…データ取得部  １１２…映像信号出力部  １１３…配列決定部  １１４…タイプ選択部  １１５…音声信号出力部  １１６…音声出力設定部  １１７…映像選択部  １１８…コース選択部  １１９…記憶部  １２０…制御部  １２２…映像選択画面  １２４…候補表示枠  １２５…マーキング
【発明を実施するための最良の形態】
【００３７】
以下、添付の図面を参照して、本発明の一実施形態について説明する。本実施形態に係る映像表示システムは、ＤＶＤに記録されたマルチアングル映像を複数同時に再生・表示するものである。【００３８】
図１に示すように、映像表示システム１００は、ＤＶＤである光ディスクＤ（記録手段）を再生するＤＶＤプレーヤー１０１（映像再生装置）と、ＤＶＤプレーヤー１０１に接続され、光ディスクＤに記録された映像を表示する３台の出力モニター１０２（レフトモニター１０２Ｌ、センターモニター１０２Ｃ、ライトモニター１０２Ｒ）と、ＤＶＤプレーヤー１０１に接続され、光ディスクＤに記録された音声を出力する５．１ｃｈスピーカ１０３とで構成されている。ユーザは、例えばリモコン１０４により、再生等の操作を行うようになっている。また、各出力モニター１０２の画面解像度は、レフトモニター１０２Ｌ：ＨＤ（１２８０×７２０）、センターモニター１０２Ｃ：ＳＤ（６４０×４８０）、ライトモニター１０２Ｒ：フルＨＤ（１９２０×１０８０）である。【００３９】
映像表示システム１００は、光ディスクＤから読み取った複数のアングル映像データに基づいて、３つのアングル映像信号を３台の出力モニター１０２に個別に出力し、３つのアングル映像を同時に表示するようになっている。【００４０】
光ディスクＤには、複数のアングル映像データと、各アングル映像データの相対表示位置情報、選択順位情報、撮影時刻情報および映像タイプ情報と、映像切替え情報等を記載した複数のシーケンスファイルと、５．１ｃｈの音声データとが記録されている。以下、各データ・情報について説明する。【００４１】
複数のアングル映像データは、撮影対象を互いに異なる複数の撮影アングルで撮影した複数のアングル映像に対応するものである。【００４２】
図２に示すように、具体的には、この光ディスクＤは、あるテニスの試合を記録したものである。そして、光ディスクＤには、テニスの試合を互いに異なる１２の撮影アングルで撮影した１２のアングル映像に対応する１２のアングル映像データが記録されている。本実施形態では、各撮影アングルは固定されている。なお、以下では、図示のカメラｎ（ｎ＝１〜１２）で撮影した映像を「アングル映像ｎ」といい、各アングル映像に対応する映像データを「アングル映像データｎ」、さらに各アングル映像データに対応する映像信号を「アングル映像信号ｎ」という。【００４３】
図３は、相対表示位置情報テーブルを示すものである。相対表示位置情報は、各撮影アングルを考慮した各アングル映像の相対表示位置を意味するものである。すなわち、各アングル映像毎に、当該アングル映像を基準としたその他のアングル映像の表示位置を指標するものである。ここでは、相対表示位置（ｘ、ｙ）が「順序」で表現されている。アングル映像５〜７を例に挙げて説明する。図２に示したように、アングル映像５は、主審側から見て右の選手Ｂを主審側から撮影した映像、アングル映像６は、コート全体を主審側から撮影した映像、アングル映像７は、主審側から見て左の選手Ａを主審側から撮影した映像となっている。この場合、ユーザにとって違和感なくアングル映像５〜７を再生・表示するためには、アングル映像５「選手Ｂ」を基準とすると、アングル映像６「ネット」をその左側に、アングル映像７「選手Ａ」をさらにその左側に表示する必要がある。そこで、アングル映像５については、アングル映像５を基準したアングル映像６の表示位置が（−１，０）、アングル映像７の表示位置が（−２，０）となっている。なお、ここでは、相対表示位置を「順序」で表現したが、「距離」で表現してもよい（図４参照）。【００４４】
図５は、選択順位情報テーブルを示すものである。選択順位情報は、各アングル映像について、その他の１１のアングル映像のうちいずれを優先して同時に再生させるかを、各撮影アングルを考慮して指標したものである。アングル映像１２を例に挙げて説明する。図２に示したように、アングル映像１２は、コート全体を主審の反対側から撮影した映像である。この場合、視聴者にとって違和感なく３つのアングル映像を再生・表示するために、アングル映像１２と同時に再生する他の２つのアングル映像として最も好ましいのは、同様に主審の反対側から選手Ａを撮影したアングル映像１１、および主審の反対側から選手Ｂを撮影したアングル映像１である。次に好ましいのは、主審の斜め反対側から選手Ａを撮影したアングル映像１０、および主審の斜め反対側から選手Ｂを撮影したアングル映像２である。さらにその次に好ましいのは、選手Ａの後方から選手Ａを撮影したアングル映像９、および選手Ｂの後方から選手Ｂを撮影したアングル映像３である。そこで、アングル映像１２について、アングル映像１およびアングル映像１１が第１順位、アングル映像２およびアングル映像１０が第２順位、アングル映像３およびアングル映像９が第３順位となっている。なお、この選択順位情報は、詳細は後述するが、時間途切れのあるアングル映像に対する代替映像の設定にも用いられる。【００４５】
図６は撮影時刻情報テーブルを示すものである。撮影時刻情報は、各アングル映像の撮影時刻を意味するものである。この撮影時刻は、相対時刻、絶対時刻のいずれでもよいが、本実施形態では、相対時刻を用いている。撮影時刻情報は、各アングル映像の撮影開始時刻、撮影終了時刻、撮影中断開始時刻、撮影中断終了時刻（撮影再開時刻）を含んでいる（図６には、アングル映像データ１〜６についてのみ示す）。【００４６】
図７は、映像タイプ情報テーブルを示すものである。映像タイプ情報は、アングル映像毎に、画素数（ピクセル数）、符号化形式および必要なデータレートの異なる複数の映像タイプから成っている（図７には、アングル映像データ１〜６についてのみ示す）。すなわち、アングル映像毎に、複数の映像タイプが用意されており（例えば「映像１」の場合、タイプ１、タイプ２およびタイプ３の３つの映像タイプが用意されている）、これらは全て同一映像である。このように複数の映像タイプを用意しておくことで、出力モニター１０２の画面解像度や最大読出しレートに応じて適切な映像タイプを選択できるようになっている（詳細については後述する）。【００４７】
複数（３つ）のシーケンスファイルには、それぞれ、映像切替え情報、オーバーレイ情報および音声情報が記載されている。コース選択画面（図示省略）上において、３つのシーケンスファイルに対応した３つの映像コースを選択することで、映像コース別の映像を視聴することができるようになっている。この映像コースとは、例えば、映像コースＡが選手Ａに特化した映像、映像コースＢが選手Ｂに特化した映像、映像コースＣが通常の映像（両選手の映像）となっている。なお、後述するように、シーケンスファイルを、ＤＶＤプレーヤー１０１の記憶部１１９（図１１参照）や、ｗｅｂサイト等から取得することも可能である。以下、各シーケンスファイルに記載された各情報・データについて説明する。【００４８】
図８は、映像切替え情報テーブルを示したものである。図面上において、「出力１」がレフトモニター１０２Ｌ、「出力２」がセンターモニター１０２Ｃ、「出力３」がライトモニター１０２Ｒによる出力映像を示している（図１参照）。映像切替え情報は、同時に再生させる複数のアングル映像の組合せを、再生中に順次切替えるためのものである。ここでは、映像コースＡに対応しており、選手Ａを集中的に表示するようしたものである。すなわち、選手Ａは、撮影開始（試合開始）時には主審側から見て左のコートで、チェンジコートにより、１０分２５秒からは主審側から見て右のコートで、２１分４３秒からは左のコートで、３３分２秒からは右のコートでプレーしたとする。そこで、左のコートでプレーした時間帯は、左側にアングル映像９を、中央にアングル映像８を、右側にアングル映像７を表示し、他方、右のコートでプレーした時間帯は、左側にアングル映像５を、中央にアングル映像４を、右側にアングル映像３を表示するようになっている。なお、ここでは、映像切替え情報は、各アングル映像の組合せにおいて、相対表示位置を加味した情報（例えば「左；９、中央；８、、右；７」）となっているが、単に組合せだけ（例えば「７・８・９」）を持たせておき、上記の相対表示位置情報を参照して、表示位置を設定するようにしてもよい。【００４９】
図９は、オーバーレイ情報テーブルを示したものである。オーバーレイ情報テーブルには、各コース別映像が出力されるタイミングおよび出力モニター１０２が規定されている。コース別映像データは、映像コース別に３つのものが記録されている。各コース別映像は、各アングル映像に重ねて表示（オーバーレイ表示）されるものであり、例えば、各選手やボールの動きを示すマーキング１２５である。映像コースＡが選択された場合には選手Ａに特化したマーキング１２５を、映像コースＢが選択された場合には選手Ｂに特化したマーキング１２５を、映像コースＣが選択された場合には両選手のマーキング１２５を再生するようになっている（図１０参照）。なお、マーキング１２５は、図示したような矢印や点線による囲みだけでなく、特定範囲を色付けするマーキングなど種々の表示形態を適用可能である。また、マーキング１２５と共に、そのマーキング１２５の内容（「選手名○○」や「ボール」等）を示すテキスト情報を表示するようにしてもよい。【００５０】
図示省略したが、音声情報テーブルには、各コース別音声が出力されるタイミングが規定されている。コース別音声データは、映像コース別に３つのものが記録されている。各コース別音声は、各アングル映像と共に再生されるものであり、例えば、試合の解説である。映像コースＡが選択された場合には選手Ａに特化した解説を、映像コースＢが選択された場合には選手Ｂに特化した解説を、映像コースＣが選択された場合には両選手の解説を再生するようになっている。【００５１】
図１１に示すように、ＤＶＤプレーヤー１０１は、機能的には、データ取得部１１１と、映像信号出力部１１２と、配列決定部１１３と、タイプ選択部１１４と、音声信号出力部１１５と、音声出力設定部１１６と、映像選択部１１７と、コース選択部１１８と、記憶部１１９と、制御部１２０とで構成されている。以下、各部について説明するが、ここでは、各部の主要な機能について説明し、一連の処理フローについては、さらに後述する。【００５２】
データ取得部１１１は、セットされた光ディスクＤを読み取り、各種データ・情報を取得する。アングル映像データについては、映像選択部１１７により選択された３つを一括した形式で取得する。あるいは、記録されているすべて（１２個）のアングル映像データを取得し、そのうち３つのみを再生するようにしてもよい。また、データ取得部１１１は、記憶部１１９に記憶されている各種データを取得し、さらに、接続されている出力モニター１０２に関する情報（台数・配置および各出力モニター１０２の画面解像度）を取得する。【００５３】
映像信号出力部１１２は、光ディスクＤから読み取った３つのアングル映像データに基づいて、３つのアングル映像信号を３台の出力モニターに出力するものである。すなわち、一括した形式で取得された３つのアングル映像データを１つずつに分離し、分離された３つのアングル映像データをそれぞれデコードし、さらにデコードされた３つのアングル映像データについてそれぞれビデオ信号出力処理を行って、３つのアングル映像信号を出力する。配列決定部１１３は、出力モニター１０２の配置情報および光ディスクＤから読み取った相対表示位置情報に基づいて、３つのアングル映像の表示位置の配列を決定するものである。【００５４】
ここで、出力モニター１０２の設定について具体的に説明する。データ取得部１１１は、３台の出力モニター１０２（レフトモニター１０２Ｌ、センターモニター１０２Ｃおよびライトモニター１０２Ｒ）が、左・中央・右に配置されていることに対応した配置情報を取得する。後述する映像選択部１１７により、ユーザがアングル映像５〜７を選択した場合、映像信号出力部１１２は、アングル映像信号５〜７をそれぞれ出力する。そして、配列決定部１１３は、出力モニター１０２の配置情報、および相対表示位置情報（アングル映像５を基準として、アングル映像６が（−１，０）、アングル映像７が（−２，０））に基づいて、３つのアングル映像の表示位置の配列を決定する。すなわち、アングル映像５の出力先をライトモニター１０２Ｒに、アングル映像６の出力先をセンターモニター１０２Ｃに、アングル映像７の出力先をレフトモニター１０２Ｌに設定する。【００５５】
なお、映像選択部１１７は、出力モニター１０２の台数よりも少ない数のアングル映像を選択させることもできる。この場合、配列決定部１１３は、選択されたアングル映像の相対表示位置情報に基づいて、アングル映像を表示しない出力モニター１０２を設定する。例えば、ユーザにより、アングル映像５およびアングル映像６が選択された場合には、配列決定部１１３は、その相対表示位置情報に基づいて、アングル映像を表示しない出力モニター１０２をレフトモニター１０２Ｌに設定する。その上で、アングル映像５を表示する出力モニター１０２をライトモニター１０２Ｒに、アングル映像６を表示する出力モニター１０２をセンターモニター１０２Ｃに設定する。【００５６】
本実施形態では、３つのアングル映像を３台の出力モニター１０２に個別に表示するようにしたが、３つのアングル映像を１台の出力モニター１０２に表示するようにしてもよい（図１２参照）。さらに、４つのアングル映像を２台の出力モニター１０２にそれぞれ２つずつ表示するようにしてもよい。以下、３つのアングル映像を１台の出力モニター１０２に表示する場合のＤＶＤプレーヤー１０１の構成について説明する。【００５７】
映像信号出力部１１２は、一括した形式で取得された３つのアングル映像データを１つずつに分離し、分離された３つのアングル映像データをそれぞれデコードし、さらにデコードされた３つのアングル映像データの合成処理を行い、合成処理されたアングル映像データについてビデオ信号出力処理を行って、アングル映像信号を出力している。このとき、映像信号出力部１１２は、配列決定部１１３により決定された表示位置の配列に従って、３つのアングル映像が１台の出力モニター１０２の表示画面を３区分した３つの表示エリア１０２ａにそれぞれ表示されるように、３つのアングル映像信号を合成する。【００５８】
また、映像信号出力部１１２は、１２のアングル映像に、撮影対象の全体を撮影した全体映像と、撮影対象の一部を撮影した部分映像とが含まれる場合に、相対表示位置情報に基づいて、撮影対象における部分映像の撮影箇所を、全体映像中に視認させるようにして、３つのアングル映像信号を出力する。具体的には、選手Ｂを撮影したアングル映像５（部分映像）、テニスコート全体を撮影したアングル映像６（全体映像）および選手Ａを撮影したアングル映像７（部分映像）を同時に再生する場合、撮影対象におけるアングル映像５およびアングル映像７の各撮影箇所を示す撮影箇所表示枠１２１を、アングル映像６を基準とした相対表示位置情報に基づいて、アングル映像６中に表示する（図１３参照）。この場合、相対表示位置情報は、「距離」で表現したものを用いるようにする。【００５９】
ここで、本実施形態では、各撮影アングル（撮影箇所）は固定されているが、各撮影アングルが移動するものであってもよい。例えば、アングル映像５やアングル映像７については、選手Ｂや選手Ａの移動に伴って、各撮影アングルを移動するようにしてもよい。この場合、各撮影アングルの移動に伴って、相対表示位置の値（距離）も変化する。これにより、撮影箇所表示枠１２１を、移動する撮影箇所に対応してアングル映像６中で移動するようにして、表示することができる。【００６０】
さらに、映像信号出力部１１２は、撮影時刻情報に基づいて、３つのアングル映像信号を出力している。これにより、相互に撮影開始時刻の異なる複数のアングル映像であっても、撮影時刻を一致させて、あるいは一定の時間ずらして、同時に再生することができる。また、再生途中に時間途切れのあるアングル映像の場合であっても、他のアングル映像と撮影時刻が一致するように、再生を再開させることができる。さらに、その時間途切れの間、選択順位情報に基づいて、他のアングル映像を代わりに再生するようにしてもよい。具体的には、アングル映像５に時間途切れがある場合、その間、アングル映像５の選択順位情報が第１順位であるアングル映像６（図５参照）を代替映像として、同じ出力モニター１０２にアングル映像信号６を出力する。【００６１】
タイプ選択部１１４は、光ディスクＤから読み取られた映像タイプ情報と、データ取得部１１１により取得された各出力モニター１０２の画面解像度とに基づいて、各アングル映像の複数の映像タイプから、当該アングル映像が表示される出力モニター１０２の画面解像度に対応した映像タイプを選択するものである。【００６２】
具体的には、読み取られた映像タイプ情報は、上述した図７に示したものであり、取得された各出力モニター１０２の画面解像度は、レフトモニター１０２Ｌ：ＨＤ（１２８０×７２０）、センターモニター１０２Ｃ：ＳＤ（６４０×４８０）、ライトモニター１０２Ｒ：フルＨＤ（１９２０×１０８０）となる。このため、タイプ選択部１１４は、アングル映像１をレフトモニター１０２Ｌに、アングル映像２をセンターモニター１０２Ｃに、アングル映像３をライトモニター１０２Ｒに出力する場合、アングル映像１について映像タイプ２を選択し、アングル映像２について映像タイプ３を選択し、アングル映像３について映像タイプ１を選択する。【００６３】
さらに、タイプ選択部１１４は、ＤＶＤプレーヤー１０１の最大読出しレートをも考慮して、映像タイプを選択している。すなわち、上記の場合、３つのアングル映像データを読み取るのに、１４＋９＋１８＝４１Ｍｂｐｓの読取り速度が必要になる。仮に、ＤＶＤプレーヤー１０１の最大読出しレートが３８Ｍｂｐｓであった場合、３つのアングル映像をリアルタイムで読み取ることができなくなり、遅延やコマ落ちが生じてしまう。そこで、最大読出しレートを下回るような映像タイプの組合せパターンを作成する。例えば、ライトモニター１０２Ｒに出力するアングル映像３を映像タイプ２として、１４＋９＋１０＝３３Ｍｂｐｓとしている。【００６４】
音声信号出力部１１５は、音声データに基づいて、５．１ｃｈの音声信号を５．１ｃｈスピーカ１０３に出力するものである。また、音声出力設定部１１６は、相対表示位置情報に基づいて、各チャンネルの音声信号が出力されるスピーカを設定するものである。【００６５】
ここで、音声出力の設定について具体的に説明する。ユーザがアングル映像５〜７を選択した場合、音声出力設定部１１６は、その相対表示位置情報（アングル映像５を基準として、アングル映像６が（−１，０）、アングル映像７が（−２，０））に基づいて、アングル映像５（選手Ｂ）に対応する音声が右側から聞こえるように、アングル映像７（選手Ａ）に対応する音声が左側から聞こえるように、各チャンネルの音声信号が出力されるスピーカを設定する。すなわち、レフトモニターに表示されている選手Ａの打球音は左側から聞こえ、ライトモニターに表示されている選手Ｂの打球音は右側から聞こえるようになっている。【００６６】
映像選択部１１７は、記録された１２のアングル映像データに対応する１２のアングル映像のうち、同時に再生させる３つのアングル映像を、いずれかの出力モニター１０２（例えばセンターモニター１０２Ｃ）に表示した映像選択画面１２２（図１４参照）上で、ユーザに選択させるものである。さらに、映像選択部１１７は、ユーザにより３つのアングル映像のうち一部が選択されたときに、選択された各アングル映像の選択順位情報に基づいて、残りのアングル映像の候補映像を映像選択画面１２２上に表示するようにしている。【００６７】
具体的には、映像選択部１１７は、映像選択画面１２２に、１２のアングル映像の選択用画像を、マトリクス状（縦３×横４）に並べて同時に表示する（図１４（ａ）参照）。各選択用画像は、図示では単なる数字であるが、実際には各アングル映像の静止画像またはダイジェスト映像である。ユーザにより、この１２のアングル映像（選択用画像）から、１つ目のアングル映像として、アングル映像６が選択された場合には、既選択として、アングル映像６を赤色の既選択表示枠１２３で囲んで表示する。同時に、アングル映像６の選択順位情報（図５参照）に基づいて、映像選択画面１２２上に、アングル映像５およびアングル映像７を候補映像として選択し、それらを黄色の候補表示枠１２４で囲んで表示する（図１４（ｂ）参照）。これにより、主審側からコート全体を撮影したアングル映像６に対して、同時に再生させることが好ましい映像、すなわち主審側から選手Ａを撮影したアングル映像７および主審側から選手Ｂを撮影したアングル映像５が候補映像として表示される。【００６８】
続いて、ユーザにより、２つ目のアングル映像として、アングル映像５が選択されると、アングル映像５をも既選択表示枠１２３で囲んで表示する。同時に、アングル映像５の選択順位情報およびアングル映像６の選択順位情報に基づいて、映像選択画面１２２上に、アングル映像７を候補映像として選択し、それを候補表示枠１２４で囲んで表示する（図１４（ｃ）参照）。これにより、アングル映像５およびアングル映像６に対して、同時に再生させることが好ましいアングル映像７が候補映像として表示される。そして、ユーザにより、３つの目のアングル映像として、アングル映像７が選択されると、アングル映像７をも既選択表示枠１２３で囲んで表示する（図１４（ｄ）参照）。ユーザにより、アングル映像の決定指示がなされると（確定ボタン押下）、映像選択処理を終了する。【００６９】
なお、映像選択部１１７は、第２順位候補（例えば青枠）、第３順位候補（例えば緑枠）をさらに表示するようにしてもよい。また、映像選択部１１７は、ユーザにより、候補映像として表示したアングル映像以外のものが選択された場合にも、それを受け入れるようになっている。もちろん、ユーザが、アングル映像を３つも表示させることを希望しない場合には、２つあるいは１つだけ選択するようにすることも可能である。【００７０】
コース選択部１１８は、上記した複数の映像コースから、１の映像コースを、いずれかの出力モニター１０２（例えばセンターモニター１０２Ｃ）に表示したコース選択画面上でユーザに選択させるためのものである。コース選択部１１８により選択された映像コースに対応するシーケンスファイルに従って、映像信号出力部１１２が、３つのアングル映像信号を出力する。また、コース選択部１１８により選択された映像コースに対応するシーケンスファイルに基づいて、配列決定部１１３が、順次切り替えられる３つのアングル映像の組合せ毎に、３つのアングル映像の表示位置の配列を決定する。【００７１】
具体的には、ユーザにより、コース選択画面上で映像コースＡが選択されると、そのシーケンスファイル（映像切替え情報、図８参照）に基づいて、再生開始時には、レフトモニター１０２Ｌにアングル映像９、センターモニター１０２Ｃにアングル映像８、ライトモニター１０２Ｒにアングル映像７を表示する。１０分２５秒の時点で、３つのアングル映像の組合せを切り替え、レフトモニター１０２Ｌにアングル映像５、センターモニター１０２Ｃにアングル映像４、ライトモニター１０２Ｒにアングル映像３を表示する。以下、同様にして、３つのアングル映像の組合せを切り替えながら、再生を行う。【００７２】
記憶部１１９は、例えばハードディスクで構成されており、上述したように、ユーザにより新たに作成されたシーケンスファイルが記憶されるものである。もちろん、光ディスクＤに記憶されているアングル映像データ等を、この記憶部１１９に記憶させておいてもよい。制御部１２０は、例えばＣＰＵで構成されており、各種演算処理、各種判定処理、ユーザの選択に基づく各種選択処理等を行っており、ＤＶＤプレーヤー１０１全体を制御している。【００７３】
このように構成された映像表示システム１００は、通常再生処理と、シーケンス再生処理とを実行可能である。ユーザにより、出力モニター１０２の再生処理選択画面（図示省略）上で、いずれの再生処理を行うか、選択されるようになっている。以下、各再生処理について説明する。【００７４】
図１５に示すフローチャートを参照し、映像表示システム１００の通常再生処理に関する一連のフローについて説明する。まず、データ取得部１１１は、接続されている出力モニター１０２の台数・配置および各出力モニター１０２の画面解像度を取得する（Ｓ１１）。また、データ取得部１１１は、セットされた光ディスクＤから、複数のアングル映像データや相対表示位置情報等の各種データ・情報を読み取る（Ｓ１２）。続いて、映像選択部１１７は、出力モニター１０２に表示した映像選択画面１２２上において、１２の選択用画像を表示する（Ｓ１３）。【００７５】
そして、制御部１２０は、ユーザからの再生開始指示を受けると（Ｓ１４；Ｙｅｓ）、後述する映像選択処理（Ｓ１５）、出力モニター設定処理（Ｓ１６）、映像タイプ選択処理（Ｓ１７）をそれぞれ行う。また、音声出力設定部１１６は、相対表示位置情報に基づいて、各チャンネルの音声信号が出力されるスピーカを設定する（Ｓ１８）。さらに、後述する再生時刻制御処理を行った上で（Ｓ１９）、３つのアングル映像を、決定された表示位置の配列において、同時に再生する（Ｓ２０）。【００７６】
再生中に、制御部１２０がユーザからの出力モニター１０２の変更指示を受けると（Ｓ２１；Ｙｅｓ）、再び、出力モニター設定処理（Ｓ１６）以降の処理を行う。また、ユーザからの選択映像の変更の指示を受けると（Ｓ２２；Ｙｅｓ）、再び、映像選択処理（Ｓ１５）以降の処理を行う。そして、最後までアングル映像の再生を行うか、制御部１２０がユーザにより再生停止の指示を受けると（Ｓ２３；Ｙｅｓ）、一連のフローを終了する。【００７７】
図１６に示すフローチャートを参照し、映像選択処理（Ｓ１５）に関する一連のフローについて説明する。まず、映像選択部１１７は、映像選択画面１２２上において、ユーザに３つの選択用画像（アングル映像）を選択させる（Ｓ３１）。選択映像数が、取得された出力モニター１０２の台数よりも少ない場合には（Ｓ３２；Ｙｅｓ）、映像選択部１１７が選択順位情報に基づいて候補映像となるアングル映像を選択する（Ｓ３３）。そして、制御部１２０が、選択したアングル映像を、映像選択画面１２２上に候補映像として表示する（Ｓ３４）。そして、ユーザにより３つのアングル映像の決定指示がなされると（Ｓ３５；Ｙｅｓ）、映像選択部１１７は、その３つのアングル映像を、同時に再生する３つのアングル映像として決定する（Ｓ３６）。【００７８】
図１７に示すフローチャートを参照し、出力モニター設定処理（Ｓ１６）に関する一連のフローについて説明する。まず、制御部１２０は、選択映像数が出力モニター１０２の台数より少ないか否かを判断し、少ないと判定した場合には（Ｓ４１；Ｙｅｓ）、配列決定部１１３は、アングル映像を表示しない出力モニター１０２を設定しておく（Ｓ４２）。その上で、配列決定部１１３は、選択された各アングル映像の相対表示位置情報に基づいて、各アングル映像を表示する出力モニター１０２を設定する（Ｓ４３）。続いて、制御部１２０は、出力モニター１０２の設定結果（出力モニター案）を出力モニター１０２に表示する（Ｓ４４）。そして、ユーザにより出力モニター１０２の変更指示がなされた場合（Ｓ４５；Ｎｏ）、配列決定部１１３は、ユーザの指示に基づいて各アングル映像を表示する出力モニター１０２を変更し（Ｓ４６）、制御部１２０は、再度、出力モニター案を表示する。一方、ユーザにより出力モニター１０２の決定指示がなされた場合（Ｓ４５；Ｙｅｓ）、配列決定部１１３は、各アングル映像を表示する出力モニター１０２を確定する（Ｓ４６）。【００７９】
図１８に示すフローチャートを参照し、映像タイプ選択処理（Ｓ１７）に関する一連のフローについて説明する。まず、タイプ選択部１１４は、各アングル映像が表示される出力モニター１０２の画面解像度に応じて、当該アングル映像の映像タイプを選択する（Ｓ５１）。続いて、制御部１２０は、選択された映像タイプのデータレートの合計を算出する（Ｓ５２）。そして、制御部１２０は、ＤＶＤプレーヤー１０１の最大読出しレートを越えたか否かを判断し、越えていないと判断した場合には（Ｓ５３；Ｎｏ）、処理を終了する。他方、越えたと判定した場合には（Ｓ５３；Ｙｅｓ）、タイプ選択部１１４は、ＤＶＤプレーヤー１０１の最大読出しレートを下回るような映像タイプの組合せパターンを作成する（Ｓ５４）。ここで、かかる組合せパターンがある場合には（Ｓ５５；Ｎｏ）、制御部１２０は、その組合せ（映像タイプ案）を出力モニター１０２に表示する（Ｓ５６）。そして、ユーザにより映像タイプの決定指示がなされる（Ｓ５７）。他方、そのような組合せパターンがない場合には（Ｓ５５；Ｙｅｓ）、制御部１２０は、リアルタイム再生ができないことを案内（出力モニター１０２に表示）する（Ｓ５８）。【００８０】
図１９に示すフローチャートを参照し、再生時刻制御処理（Ｓ１９）に関する一連のフローについて説明する。まず、制御部１２０は、表示されているアングル映像の中断時間と、現在の再生時刻とを比較し（Ｓ６１）、アングル映像が中断開始時刻になった否かを判定する。中断開始時刻になったと判断した場合に（Ｓ６２；Ｙｅｓ）、映像信号出力部１１２は、そのアングル映像の再生（アングル映像信号の出力）を中断する（Ｓ６３）。さらに、制御部１２０は、ユーザの選択に基づいて、代替映像を出力するか否かを判断する（Ｓ６４）。代替映像を出力すると判断した場合（Ｓ６４；Ｙｅｓ）、制御部１２０は、現在再生中のアングル映像を基準とした選択順位情報に基づいて、代替映像を設定し（Ｓ６５）、映像信号出力部１１２は、代替映像を再生する。【００８１】
続いて、制御部１２０は、中断映像の中断終了時刻になったか否かを判定し、中断終了時刻になったと判断した場合に（Ｓ６６；Ｙｅｓ）、代替映像を出力中であるか否かを判定し、出力中であると判断した場合に（Ｓ６７；Ｙｅｓ）、元のアングル映像と代替映像のどちらを出力するかユーザに選択させる（Ｓ６８）。制御部１２０は、代替映像の選択を受けた場合（Ｓ６９；Ｙｅｓ）、代替映像をアングル映像として設定する（Ｓ７０）。他方、元のアングル映像の選択を受けた場合（Ｓ６９；Ｎｏ）、映像信号出力部１１２は、中断処理を解除（代替映像の再生を停止）し、元のアングル映像を再生する（Ｓ７１）。【００８２】
図２０に示すフローチャートを参照し、シーケンス再生処理に関する一連のフローについて説明する。まず、データ取得部１１１は、光ディスクＤ内に記録されているシーケンスファイルを読み取る（Ｓ８１）。また、データ取得部１１１は、記憶部１１９に記憶されているシーケンスファイルを取得する（Ｓ８２）。続いて、制御部１２０は、ユーザの選択に基づいて、新たなシーケンスファイルを取得するか否かを判断する。取得する場合（Ｓ８３；Ｙｅｓ）、データ取得部１１１は、外部メモリ、ｗｅｂサイト等から、新たなシーケンスファイルをダウンロードする（Ｓ８４）。【００８３】
コース選択部１１８は、このようにして取得された複数のシーケンスファイルから、ユーザの選択に基づいて、実行するシーケンスファイルを設定する（Ｓ８５）。映像信号出力部１１２は、設定されたシーケンスファイルに基づいて、同時に再生する３つのアングル映像の組合せを順次切り替えながら、再生を行う（Ｓ８６）。このとき、上述したコース別映像（オーバーレイ表示）およびコース別音声も再生される。【００８４】
最後までアングル映像の再生を行う前か、ユーザにより再生停止の指示を受ける前に（Ｓ８７；Ｎｏ）、制御部１２０が、アングル映像の組合せや出力モニター１０２等の再生仕様を変更する旨、ユーザからの指示を受けると（Ｓ８８；Ｙｅｓ）、各部は、再生仕様を変更し（Ｓ８９）、変更した再生仕様を記憶部１１９に記憶して（Ｓ９０）、再生を続ける（Ｓ８６）。【００８５】
最後までアングル映像の再生を行うか、ユーザにより再生停止の指示を受けると（Ｓ８７；Ｙｅｓ）、制御部１２０は、ユーザの選択に基づいて、今までの再生仕様を保存するか否かを判定し、保存すると判断した場合には（Ｓ９１；Ｙｅｓ）、これを新たなシーケンスファイルとして、光ディスクＤに書き込むか、あるいは記憶部１１９に記憶する（Ｓ９２）。【００８６】
以上のように、本実施形態の映像表示システム１００によれば、同時に再生する複数のアングル映像を、各アングル映像の撮影アングルを考慮した表示位置の配列で再生するように、表示することができる。なお、本実施形態では、複数のアングル映像データや各種データ・情報を、光ディスクＤに記録させているが、ＤＶＤプレーヤー１０１の記憶部１１９等、他の記録媒体を用いることも可能である。また、セットトップボックスを用いて、ＶＯＤ等で配信された映像をメモリに蓄積するようにしてもよい。
【図１】
2008050383.tif 000003
【図２】
2008050383.tif 000004
【図３】
2008050383.tif 000005
【図４】
2008050383.tif 000006
【図５】
2008050383.tif 000007
【図６】
2008050383.tif 000008
【図７】
2008050383.tif 000009
【図８】
2008050383.tif 000010
【図９】
2008050383.tif 000011
【図１０】
2008050383.tif 000012
【図１１】
2008050383.tif 000013
【図１２】
2008050383.tif 000014
【図１３】
2008050383.tif 000015
【図１４】
2008050383.tif 000016
【図１５】
2008050383.tif 000017
【図１６】
2008050383.tif 000018
【図１７】
2008050383.tif 000019
【図１８】
2008050383.tif 000020
【図１９】
2008050383.tif 000021
【図２０】
2008050383.tif 000022
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
撮影対象を互いに異なる複数の撮影アングルで撮影した複数のアングル映像に対応する複数のアングル映像データと、前記各撮影アングルを考慮した前記各アングル映像の相対表示位置を表した相対表示位置情報と、前記複数のアングル映像と共に再生する複数チャンネルの音声に対応する音声データと、を記録した記録手段から、前記アングル映像データの総数以下の前記複数のアングル映像データおよびこれに対応する前記相対表示位置情報と、前記音声データと、を取得するデータ取得手段と、
前記複数のアングル映像データに基づいて、前記複数のアングル映像に対応する複数のアングル映像信号を表示手段に出力する映像信号出力手段と、
前記相対表示位置情報に基づいて、前記複数のアングル映像の表示位置の配列を決定する配列決定手段と、
前記音声データに基づいて、複数チャンネルの音声信号を複数チャンネルのスピーカに出力する音声信号出力手段と、
前記相対表示位置情報に基づいて、前記各チャンネルの音声信号が出力される前記スピーカを設定する音声出力設定手段と、
を備えたことを特徴とする映像再生装置。
【請求項２】
前記表示手段が、複数の表示装置で構成されている時、
前記映像信号出力手段は、前記複数のアングル映像信号を前記複数の表示装置に個別に出力し、
前記配列決定手段は、前記複数の表示装置の配置情報および前記相対表示位置情報に基づいて、前記各アングル映像信号が出力される前記表示装置を設定することを特徴とする請求項１に記載の映像再生装置。
【請求項３】
前記記録手段には、画素数の異なる複数の映像タイプから成る映像タイプ情報が前記各アングル映像毎に記録されており、
前記データ取得手段は、前記映像タイプ情報を取得し、
前記映像タイプ情報に基づいて、前記各アングル映像の前記複数の映像タイプから、当該アングル映像が表示される前記表示装置の画面解像度に対応した映像タイプを選択する映像タイプ選択手段を、さらに備えたことを特徴とする請求項２に記載の映像再生装置。
【請求項４】
前記表示手段が、単一の表示装置で構成されている時、
前記映像信号出力手段は、決定された前記表示位置の配列に従って、前記複数のアングル映像が前記表示装置の表示画面を区分した複数の表示エリアにそれぞれ表示されるように、前記複数のアングル映像信号を合成して前記表示装置に出力することを特徴とする請求項１に記載の映像再生装置。
【請求項５】
（削除）
【請求項６】
撮影対象を互いに異なる複数の撮影アングルで撮影した複数のアングル映像に対応する複数のアングル映像データと、前記各撮影アングルを考慮した前記各アングル映像の相対表示位置を表した相対表示位置情報と、前記各アングル映像について、その他の前記複数のアングル映像のうちいずれを優先して同時に再生させるかを、前記各撮影アングルを考慮して指標した選択順位情報と、を記録した記録手段から、前記アングル映像データの総数以下の前記複数のアングル映像データおよびこれに対応する前記相対表示位置情報と、前記選択順位情報と、を取得するデータ取得手段と、
前記複数のアングル映像のうち、同時に再生させる複数のアングル映像を、選択画面上でユーザに選択させるための映像選択手段と、
選択された前記複数のアングル映像に対応する複数のアングル映像信号を表示手段に出力する映像信号出力手段と、
前記相対表示位置情報に基づいて、前記複数のアングル映像の表示位置の配列を決定する配列決定手段と、
を備え、
前記映像選択手段は、ユーザにより前記複数のアングル映像のうち一部が選択されたときに、選択された前記各アングル映像の前記選択順位情報に基づいて、残りの前記アングル映像の候補映像を前記選択画面上に表示することを特徴とする映像再生装置。
【請求項７】
（削除）
【請求項８】
撮影対象を互いに異なる複数の撮影アングルで撮影した複数のアングル映像に対応する複数のアングル映像データと、前記各撮影アングルを考慮した前記各アングル映像の相対表示位置を表した相対表示位置情報と、同時に再生させる前記複数のアングル映像の組合せを、再生中に順次切り替えるためのシーケンスファイルと、を記録した記録手段から、前記アングル映像データの総数以下の前記複数のアングル映像データおよびこれに対応する前記相対表示位置情報と、前記シーケンスファイルと、を取得するデータ取得手段と、
前記複数のアングル映像データおよび前記シーケンスファイル基づいて、前記複数のアングル映像に対応する複数のアングル映像信号を表示手段に出力すると、映像信号出力手段と、
前記相対表示位置情報および前記シーケンスファイルに基づいて、順次切り替えられる前記複数のアングル映像の組合せ毎に、前記複数のアングル映像の表示位置の配列を決定する配列決定手段と、
を備えたことを特徴とする映像再生装置。
【請求項９】
前記記録手段には、複数の前記シーケンスファイルが記録されており、
前記複数のシーケンスファイルにそれぞれ対応した複数の映像コースから、１の映像コースを、選択画面上でユーザに選択させるためのコース選択手段を、さらに備えたことを特徴とする請求項８に記載の映像再生装置。
【請求項１０】
前記各シーケンスファイルには、前記映像コース別のコース別映像データが含まれており、
前記映像信号出力手段は、前記コース別映像データに基づくコース別映像が、前記各アングル映像に重ねて表示されるようにして、前記複数のアングル映像信号を出力することを特徴とする請求項９に記載の映像再生装置。
【請求項１１】
前記各シーケンスファイルには、前記映像コース別のコース別音声データが含まれており、
前記コース別音声データに基づいて、コース別音声信号をスピーカに出力する音声信号出力手段を、さらに備えたことを特徴とする請求項９に記載の映像再生装置。
【請求項１２】
前記複数のアングル映像には、前記撮影対象の全体を撮影した全体映像と、前記撮影対象の一部を撮影した部分映像とが含まれ、
前記映像信号出力手段は、前記相対表示位置情報に基づいて、前記撮影対象における前記部分映像の撮影箇所を、前記全体映像中に視認させるようにして、前記複数のアングル映像信号を出力することを特徴とする請求項１に記載の映像再生装置。
【請求項１３】
前記記録手段には、前記各アングル映像の撮影時刻を意味する撮影時刻情報が記録されており、
前記データ取得手段は、前記記録手段から前記撮影時刻情報を取得し、
前記映像信号出力手段は、前記撮影時刻情報に基づいて、前記複数のアングル映像信号を出力することを特徴とする請求項１に記載の映像再生装置。
【請求項１４】
請求項１に記載の映像再生装置と、
前記表示手段と、
を備えたことを特徴とする映像表示システム。
【手続補正２】
【補正対象書類名】明細書
【補正対象項目名】０００２
【補正方法】変更
【補正の内容】
【０００２】
ルを考慮した表示位置の配列で再生することができる映像再生装置、映像表示システムおよび記録媒体を提供することを課題としている。
課題を解決するための手段
［０００５］
本発明の映像再生装置は、撮影対象を互いに異なる複数の撮影アングルで撮影した複数のアングル映像に対応する複数のアングル映像データと、各撮影アングルを考慮した各アングル映像の相対表示位置を表した相対表示位置情報と、複数のアングル映像と共に再生する複数チャンネルの音声に対応する音声データと、を記録した記録手段から、アングル映像データの総数以下の複数のアングル映像データおよびこれに対応する相対表示位置情報と、音声データと、を取得するデータ取得手段と、複数のアングル映像データに基づいて、複数のアングル映像に対応する複数のアングル映像信号を表示手段に出力する映像信号出力手段と、相対表示位置情報に基づいて、複数のアングル映像の表示位置の配列を決定する配列決定手段と、音声データに基づいて、複数チャンネルの音声信号を複数チャンネルのスピーカに出力する音声信号出力手段と、相対表示位置情報に基づいて、各チャンネルの音声信号が出力されるスピーカを設定する音声出力設定手段と、を備えたことを特徴とする。
［０００６］
この構成によれば、各撮影アングルを考慮した各アングル映像の相対表示位置を意味する相対表示位置情報に基づいて、複数のアングル映像の表示位置の配列が決定される。このため、同時に再生する複数のアングル映像を、各アングル映像の撮影アングルを考慮した表示位置の配列で再生することができる。したがって、ユーザに対し、違和感を感じさせることがないばかりか、臨場感をもって複数のアングル映像を視聴させることができる。
また、この構成によれば、複数チャンネルの音声が、これと共に再生される複数のアングル映像と方向性が一致するように、複数チャンネルのスピーカに出力される。このため、臨場感のある音場を形成することができる。
なお、記録手段としては、例えば、ＤＶＤ等の各種光ディスクのほか、ハードディスク、各種半導体メモリを用いることができる。
［０００７］
この場合、表示手段が、複数の表示装置で構成されている時、映像信号出力手段は、複数のアングル映像信号を複数の表示装置に個別に出力し、配列決定手段は、複数の表示装置の配置情報および相対表示位置情報に基づいて、各アングル映像信号が出力される表示装置を設定することが好ましい。
［０００８］
この構成によれば、複数のアングル映像を複数の表示装置に個別に表示させることで、各アングル映像を大きく表示することが可能となる。そして、複数の表示装置の配置をも考慮して、複数のアングル映像の表示位置の配列が決定される。このため、複数の表示装置において再生される複数のアングル映像を、各アングル映像の撮影
【手続補正３】
【補正対象書類名】明細書
【補正対象項目名】０００３
【補正方法】変更
【補正の内容】
【０００３】
アングルを考慮した表示位置の配列で再生することができる。
［０００９］
この場合、記録手段には、画素数の異なる複数の映像タイプから成る映像タイプ情報が各アングル映像毎に記録されており、データ取得手段は、映像タイプ情報を取得し、映像タイプ情報に基づいて、各アングル映像の複数の映像タイプから、当該アングル映像が表示される表示装置の画面解像度に対応した映像タイプを選択する映像タイプ選択手段を、さらに備えたことが好ましい。
［００１０］
この構成によれば、各アングル映像が表示される表示装置の画面解像度に対応した画素数のアングル映像となるように、各アングル映像の映像タイプが選択される。このため、表示装置には、その画面解像度に最適な画素数のアングル映像が再生される。したがって、表示装置の画面解像度に合わせた解像度変換を必要とすることなく、アップコンバートあるいはダウンコンバートによる画質劣化を防止することができる。
［００１１］
この場合、表示手段が単一の表示装置で構成されている時、映像信号出力手段は、決定された表示位置の配列に従って、複数のアングル映像が表示装置の表示画面を区分した複数の表示エリアにそれぞれ表示されるように、複数のアングル映像信号を合成して表示装置に出力することが好ましい。
［００１２］
この構成によれば、設置スペースや保有台数の関係上、複数の表示装置を設置することができないような場合にも、単一の表示装置に対して複数のアングル映像を再生することができる。そして、単一の表示装置において、同時に再生する複数のアングル映像を、各アングル映像の撮影アングルを考慮した表示位置の配列で再生することができる。
［００１３］
［００１４］
【手続補正４】
【補正対象書類名】明細書
【補正対象項目名】０００４
【補正方法】変更
【補正の内容】
【０００４】
［００１５］
本発明の他の映像再生装置は、撮影対象を互いに異なる複数の撮影アングルで撮影した複数のアングル映像に対応する複数のアングル映像データと、各撮影アングルを考慮した各アングル映像の相対表示位置を表した相対表示位置情報と、各アングル映像について、その他の複数のアングル映像のうちいずれを優先して同時に再生させるかを、各撮影アングルを考慮して指標した選択順位情報と、を記録した記録手段から、アングル映像データの総数以下の複数のアングル映像データおよびこれに対応する相対表示位置情報と、選択順位情報と、を取得するデータ取得手段と、複数のアングル映像のうち、同時に再生させる複数のアングル映像を、選択画面上でユーザに選択させるための映像選択手段と、選択された複数のアングル映像に対応する複数のアングル映像信号を表示手段に出力する映像信号出力手段と、相対表示位置情報に基づいて、複数のアングル映像の表示位置の配列を決定する配列決定手段と、を備え、映像選択手段は、ユーザにより複数のアングル映像のうち一部が選択されたときに、選択された各アングル映像の選択順位情報に基づいて、残りのアングル映像の候補映像を選択画面上に表示することを特徴とする。
［００１６］
この構成によれば、映像選択手段により、再生可能なアングル映像のうち、ユーザが視聴したいアングル映像が選択される。そして、その選択に応じて、データ取得手段により、複数のアングル映像データが取得され、配列決定手段により、選択された複数のアングル映像について表示位置の配列が決定される。このため、ユーザにより選択された複数のアングル映像を、各アングル映像の撮影アングルを考慮した表示位置の配列で再生することができる。
また、この構成によれば、選択された各アングル映像の撮影アングルを考慮して、残りのアングル映像の候補映像が選択画面上に表示される。これにより、残りのアングル映像として、同時再生させたときに違和感を感ずることのない映像の選択を促すことができる。
［００１７］
［００１８］
［００１９］
本発明の他の映像再生装置は、撮影対象を互いに異なる複数の撮影アングルで撮影した複数のアングル映像に対応する複数のアングル映像データと、各撮影アングルを考慮した各アングル映像の相対表示位置を表した相対表示位置情報と、同時に再生させる複数のアングル映像の組合せを、再生中に順次切り替えるためのシーケンスファイルと、を記録した記録手段から、アングル映像データの総数以下の複数のアングル映像データおよびこれに対応する相対表示位置情報と、シーケンスファイルと、を取得するデータ取得手段と、複数のアングル映像データおよびシーケンスファイルに基づいて、複数のアングル映像に対応する複数のアングル映像信号を表示手段に出力する映像信号出力手段と、相対表示位置情報およびシーケンスファイルに基づいて、順次切り替えられる複数のアングル映像の組合せ毎に、複数のアングル映像の表示位置の配列を決定する配列決定手段と、を備えたことを特徴とする。
［００２０］
この構成によれば、シーケンスファイルに従って、複数のアングル映像の組合せが
【国際調査報告】
2008050383.tif 000023
2008050383.tif 000024
2008050383.tif 000025
2008050383.tif 000026
2008050383.tif 000027
2008050383.tif 000028
2008050383.tif 000029